(57)【要約】【課題】電子装置の機械的な強度を確保する、または、電子装置の本体部を薄型化する、または、軽量化することを課題とする。【解決手段】電子装置は、支柱を備えたシャーシを内蔵した本体部と、前記本体部を支持するスタンド部と、底板部と、前記底板部の裏側に位置する天板部と、前記底板部と前記天板部とを接続する側板部を備え、前記底板部を前記シャーシに対向させて前記支柱に固定される記憶媒体と、前記天板部と対向する天板保持部と、前記天板保持部に連設され、前記支柱に取り付けられる取付部と、前記スタンド部に対して前記本体部を揺動可能とするヒンジ部を備え、前記記憶媒体を保持して前記記憶媒体を前記支柱に固定する取付部材と、を備える。【選択図】図３
2014052893.tif 000002
【特許請求の範囲】
【請求項１】
支柱を備えたシャーシを内蔵した本体部と、
前記本体部を支持するスタンド部と、
底板部と、前記底板部の裏側に位置する天板部と、前記底板部と前記天板部とを接続する側板部を備え、前記底板部を前記シャーシに対向させて前記支柱に固定される記憶媒体と、
前記天板部と対向する天板保持部と、前記天板保持部に連設され、前記支柱に取り付けられる取付部と、前記スタンド部に対して前記本体部を揺動可能とするヒンジ部を備え、前記記憶媒体を保持して前記記憶媒体を前記支柱に固定する取付部材と、
を、備えた電子装置。
【請求項２】
前記取付部は、前記天板保持部に連設され前記側板部の側方に位置する側板保持部の側方へ延設された請求項１に記載の電子装置。
【請求項３】
前記取付部は、ビード部を備えた請求項１又は２に記載の電子装置。
【請求項４】
前記取付部は、前記本体部内に配設されるケーブルを通過させる跨状部を備えた請求項１乃至３のいずれか一項に記載の電子装置。
【請求項５】
前記記憶媒体は、前記前記天板部と前記天板保持部とが固定されて前記取付部材と一体とされた請求項１乃至４のいずれか一項に記載の電子装置。
【請求項６】
前記支柱は切欠部を有し、前記取付部は前記切欠部を覆う請求項１乃至５のいずれか一項に記載の電子装置。
【請求項７】
前記支柱は、前記シャーシを複数の領域に分断し、前記本体部は、前記支柱が前記シャーシを分断することによって形成された前記複数の領域のうち、一部の領域のみを覆うシールド部材を備えた請求項１乃至６のいずれか一項に記載の電子装置。
【請求項８】
底板部と、前記底板部の裏側に位置する天板部と、前記底板部と前記天板部とを接続する側板部を備えた記憶媒体を、前記底板部を電子装置の本体部に内蔵されたシャーシに対向させて前記記憶媒体を保持し、前記シャーシが備える支柱に固定する取付部材であって、
前記天板部と対向する天板保持部と、前記天板保持部に連設され、前記支柱に取り付けられる取付部と、前記シャーシを支持するスタンド部に対して前記シャーシを揺動可能とするヒンジ部を備えた取付部材。
【発明の詳細な説明】
【技術分野】
【０００１】
本発明は、電子装置及び取付部材に関する。
【背景技術】
【０００２】
従来、薄型表示パネルを配設した本体部の略中央において立垂した金属製のメインフレームに、各種構成要素部材を支持させた電子計算機システム（電子装置）が知られている（例えば、特許文献１参照）。このような電子計算機システムにおいて、メインフレームにヒンジ部が固定され、このヒンジ部がスタンド部材上に回転可能であるように保持されると、本体部をスタンド部材上で所定量チルト回転可能とすることができる。
【先行技術文献】
【特許文献】
【０００３】
【特許文献１】特開２００２−１０８４８６号公報
【発明の概要】
【発明が解決しようとする課題】
【０００４】
上記特許文献１における電子計算機システムのように、電子装置の本体部が備えるメインフレームに各種構成要素部材を支持させる場合に、本体部の広範囲を覆うシールド部材を備えることがある。シールド部材は、ＥＭＩ（Electro Magnetic Interference）シールドとして機能することができる。シールド部材は、板金により成形され、ヒンジ部が装着される部材とすることができる。さらに、板金によるシールド部材にヒンジ部を装着し、ＨＤＤ（Hard Disc Drive）等の記憶媒体を保持するための取付部材を重ねてメインフレームに相当するシャーシに装着することができる。板金により成形されたシールド部材自体に高い強度を持たせ、さらに、ヒンジ部を形成する板金や記憶媒体の取付部材を重ねてシャーシに装着することで電子装置の本体部の強度を高めることができる。ここで、シールド部材は電子装置の本体部の広範囲を覆うことにより、当該本体部の剛性、強度をより向上させることができる。
【０００５】
ところで、昨今の電子装置は、デザイン性向上や使い勝手向上の観点から、薄型化や軽量化が求められている。しかしながら、上記のように本体部の広範囲を覆うシールド部材は、本体部の軽量化を妨げる可能性がある。また、シールド部材を、ヒンジ部を形成する板金や取付部材と重ねて配置すると、電子装置の本体部の薄型化が困難となることも考えられる。
【０００６】
そこで、本明細書開示の電子装置及び取付部材は、電子装置の機械的な強度を確保することを課題とする、または、電子装置の本体部を薄型化することを課題とする、または、電子装置の本体部を軽量化することを課題とする。
【課題を解決するための手段】
【０００７】
本明細書開示の電子装置は、支柱を備えたシャーシを内蔵した本体部と、前記本体部を支持するスタンド部と、底板部と、前記底板部の裏側に位置する天板部と、前記底板部と前記天板部とを接続する側板部を備え、前記底板部を前記シャーシに対向させて前記支柱に固定される記憶媒体と、前記天板部と対向する天板保持部と、前記天板保持部に連設され、前記支柱に取り付けられる取付部と、前記スタンド部に対して前記本体部を揺動可能とするヒンジ部を備え、前記記憶媒体を保持して前記記憶媒体を前記支柱に固定する取付部材と、を備える。
【０００８】
記憶媒体がシャーシに設けられた支柱に固定されるときに、取付部材と記憶媒体とが一体となり本体部に強度を付与する。この結果、シールド部材から本体部の強度確保のための機能を排除することが可能となる。このため、シールド部材は、シールド機能の発揮が求められる範囲を覆う寸法を具備すれば良く、また、その板厚も薄くすることができる。この結果、シールド部材、ひいては、電子装置を軽量化することができる。また、シールド部材を本体部内においてヒンジ部や取付部材と重ねて配置することが不要となるため、電子装置の本体部を薄型化することができる。
【０００９】
また、本明細書開示の取付部材は、底板部と、前記底板部の裏側に位置する天板部と、前記底板部と前記天板部とを接続する側板部を備えた記憶媒体を、前記底板部を電子装置の本体部に内蔵されたシャーシに対向させて前記記憶媒体を保持し、前記シャーシが備える支柱に固定する取付部材であって、前記天板部と対向する天板保持部と、前記天板保持部に連設され、前記支柱に取り付けられる取付部と、前記シャーシを支持するスタンド部に対して前記シャーシを揺動可能とするヒンジ部を備える。
【００１０】
本明細書開示の取付部材は、記憶媒体がシャーシに設けられた支柱に固定されるときに、記憶媒体と一体となり本体部に強度を付与する。この結果、シールド部材から本体部の強度確保のための機能を排除することが可能となる。このため、シールド部材は、シールド機能の発揮が求められる範囲を覆う寸法を具備すれば良く、また、その板厚も薄くすることができる。この結果、シールド部材、ひいては、電子装置を軽量化することができる。また、シールド部材を本体部内においてヒンジ部や取付部材と重ねて配置することが不要となるため、電子装置の本体部を薄型化することができる。
【発明の効果】
【００１１】
本明細書開示の電子装置及び取付部材は、電子装置の機械的な強度を確保することができる、または、電子装置の本体部を薄型化することができる、または、電子装置を軽量化することができる。
【図面の簡単な説明】
【００１２】
【図１】図１は実施形態の電子装置を正面側から観た斜視図である。
【図２】図２は実施形態の電子装置を背面側から観た斜視図である。
【図３】図３は実施形態の電子装置が備える本体部の分解図である。
【図４】図４は実施形態の電子装置が備える本体部の内部を示す斜視図である。
【図５】図５（Ａ）〜（Ｆ）は実施形態の電子装置が備えるシャーシの６面図である。
【図６】図６は実施形態の電子装置が備えるシャーシの斜視図である。
【図７】図７（Ａ）〜（Ｆ）は実施形態の電子装置が備える取付部材本体の６面図である。
【図８】図８（Ａ）は実施形態の電子装置が備える取付部材本体を正面側から観た斜視図であり、図８（Ｂ）は実施形態の電子装置が備える取付部材本体を背面側から観た斜視図である。
【図９】図９（Ａ）〜（Ｆ）は実施形態の電子装置が備えるヒンジ部の６面図である。
【図１０】図１０（Ａ）は実施形態の電子装置が備えるヒンジ部を正面側から観た斜視図であり、図１０（Ｂ）は実施形態の電子装置が備えるヒンジ部を背面側から観た斜視図である。
【図１１】図１１（Ａ）〜（Ｆ）は取付部材本体にヒンジ部を装着した取付部材の６面図である。
【図１２】図１２（Ａ）は取付部材本体にヒンジ部を装着した取付部材を正面側から観た斜視図であり、図１２（Ｂ）は取付部材本体にヒンジ部を装着した取付部材を背面側から観た斜視図である。
【図１３】図１３（Ａ）〜（Ｆ）はＨＤＤを装着した取付部材の６面図である。
【図１４】図１４（Ａ）はＨＤＤを装着した取付部材を正面側から観た斜視図であり、図１４（Ｂ）はＨＤＤを装着した取付部材を背面側から観た斜視図である。
【図１５】図１５（Ａ）〜（Ｆ）は実施形態の電子装置が備えるシールド部材の６面図である。
【図１６】図１６（Ａ）は実施形態の電子装置が備えるシールド部材を背面側から観た斜視図であり、図１６（Ｂ）は実施形態の電子装置が備えるシールド部材を正面側から観た斜視図である。
【図１７】図１７（Ａ）はシールド部材を装着したリアカバーを内側から観た斜視図であり、図１７（Ｂ）はシールド部材を装着したリアカバーを内側から観た正面図である。
【発明を実施するための形態】
【００１３】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されている場合がある。
【００１４】
（実施形態）
図１は実施形態の電子装置１を正面側から観た斜視図である。図２は実施形態の電子装置１を背面側から観た斜視図である。図３は実施形態の電子装置１が備える本体部１０の分解図である。図４は実施形態の電子装置１が備える本体部１０の内部を示す斜視図である。
【００１５】
図１及び図２を参照すると、電子装置１は、スタンド部３０に支持された本体部１０を備える。本体部１０は、ＬＣＤ（Liquid Crystal Display）部１１を備えるＬＣＤ一体型のＰＣ（Personal Computer）である。スタンド部３０は、回転支柱４０を備えており、本体部１０は、この回転支柱４０の先端部に後述するヒンジ部２６を介して装着されている。
【００１６】
図３を参照すると、本体部１０は、フロントカバー１０ａとリアカバー１０ｂを備えている。そして、本体部１０は、フロントカバー１０ａ側にＬＣＤ部１１を備えると共に、支柱２１を備えたシャーシ２０を内蔵している。図３及び図４を参照すると、本体部１０内には、取付部材２５に保持されたＨＤＤ２４、より具体的に取付部材２５と一体とされたＨＤＤ２４が内蔵されている。ＨＤＤ２４は、記憶媒体の一例である。ＨＤＤ２４は、直方体形状を有しており、底板部２４ａ、この底板部２４ａの裏側に位置する天板部２４ｂ、さらに、底板部２４ａと天板部２４ｂとを接続する側板部２４ｃを備えている。ＨＤＤ２４は、底板部２４ａをシャーシ２０に対向させて支柱２１に固定される。ＨＤＤ２４を支柱２１に取り付けるための取付部材２５は、取付部材本体２５１に設けられたヒンジ部２６を備えている。取付部材本体２５１は、天板部２４ｂと対向する天板保持部２５ａと、天板保持部２５ａに連設され、支柱２１に取り付けられる取付部２５ｃを備えている。図４を参照すると、本体部１０は、支柱２１の側方の領域にマザーボード２３を備えている。なお、図３では、マザーボード２３は、省略されている。以下、各構成要素の詳細な構成について説明する。
【００１７】
≪シャーシ≫
まず、図５乃至図６を参照してシャーシ２０について詳細に説明する。図５（Ａ）〜（Ｆ）は実施形態の電子装置１が備えるシャーシ２０の６面図である。図５（Ａ）は正面図、図５（Ｂ）は上面図、図５（Ｃ）は底面図、図５（Ｄ）は左側面図、図５（Ｅ）は右側面図、図５（Ｆ）は背面図である。図６は実施形態の電子装置１が備えるシャーシ２０の斜視図である。
【００１８】
シャーシ２０は、第１面２０ａとその裏面側となる第２面２０ｂを備えている。第１面２０ａは、リアカバー１０ｂと対向する面であり、第２面２０ｂは、ＬＣＤ部１１と対向する面である。シャーシ２０は、第１面２０ａ側に２本の支柱２１を備えている。２本の支柱２１は、シャーシ２０の中央部に平行に設けられ、それぞれ、図中上下方向に延びている。２本の支柱２１は、シャーシ２０に対してリベット止めにより設けられ、シャーシ２０の強度、ひいては本体部１０の強度を向上させる機能の一部を担っている。シャーシ２０は、２本の支柱２１によって左側領域、中央領域、右側領域に区分けされている。各領域には、種々の部品、電子部品が等の要素が配置されるが、２本の支柱２１間の中央領域は、ＨＤＤ２４が配置される領域となる。右側領域は、マザーボード搭載部２０ａ１となる。
【００１９】
支柱２１は、上述のように上下方向に延びており、下端側に切欠部２１ａを備えている。切欠部２１ａは、シャーシ２０に搭載される各種部品間を接続するケーブルを通過させるために形成されている。支柱２１には、後に詳述する取付部材２５の取付部２５ｃが載置されて固定される設置部２１ｂが設けられている。設置部２１ｂは、支柱２１を形成する板金を折り曲げることによって平面状に形成されている。設置部２１ｂには、リベット穴２１ｂ１が穿設されている。
【００２０】
≪取付部材≫
つぎに、図８乃至図１２を参照して取付部材２５について詳細に説明する。取付部材２５は、取付部材本体２５１にヒンジ部２６が取り付けられて形成されている。図７（Ａ）〜（Ｆ）は実施形態の電子装置１が備える取付部材本体２５１の６面図である。図７（Ａ）は正面図、図７（Ｂ）は上面図、図７（Ｃ）は底面図、図７（Ｄ）は左側面図、図７（Ｅ）は右側面図、図７（Ｆ）は背面図である。図８（Ａ）は実施形態の電子装置１が備える取付部材本体２５１を正面側から観た斜視図であり、図８（Ｂ）は実施形態の電子装置１が備える取付部材本体２５１を背面側から観た斜視図である。図９（Ａ）〜（Ｆ）は実施形態の電子装置１が備えるヒンジ部２６の６面図である。図９（Ａ）は正面図、図９（Ｂ）は上面図、図９（Ｃ）は底面図、図９（Ｄ）は左側面図、図９（Ｅ）は右側面図、図９（Ｆ）は背面図である。図１０（Ａ）は実施形態の電子装置１が備えるヒンジ部２６を正面側から観た斜視図であり、図１０（Ｂ）は実施形態の電子装置１が備えるヒンジ部２６を背面側から観た斜視図である。図１１（Ａ）〜（Ｆ）は取付部材本体２５１にヒンジ部２６を装着した取付部材２５の６面図である。図１２（Ａ）は取付部材本体２５１にヒンジ部２６を装着した取付部材２５を正面側から観た斜視図であり、図１２（Ｂ）は取付部材本体２５１にヒンジ部２６を装着した取付部材２５を背面側から観た斜視図である。
【００２１】
図７乃至図８を参照すると、取付部材本体２５１は、ＨＤＤ２４の天板部２４ｂと対向することとなる天板保持部２５ａを備えている。そして、天板保持部２５ａに連設されＨＤＤ２４の側板部２４ｃの側方に位置することとなる側板保持部２５ｂが設けられている。取付部材本体２５１は、側板保持部２５ｂの側方へフランジ状に延設された取付部２５ｃを備えている。ＨＤＤ２４は、天板保持部２５ａと側板保持部２５ｂとで囲まれた領域に配置され、天板保持部２４ａに固定される。なお、ＨＤＤ２４の側板部２４ｃと側板保持部２５ｂとのは、密着することは求められず、両者間に多少の隙間が設けられていてもよい。
【００２２】
天板保持部２５ａには、ＨＤＤ２４を固定するためのネジ穴２５ａ１が穿設されている。また、天板保持部２５ａには、ヒンジ部２６を取り付けるためのリベット穴２５ａ２が穿設されている。また、天板保持部２５ａには、底板部２５ｆが連設されている。
【００２３】
取付部２５ｃは、天板保持部２５ａに連設された側板保持部２５ｂを介して天板保持部２５ａに連設された状態となっている。すなわち、取付部２５ｃは、天板保持部２５ａに連設され側板部２４ｃの側方に位置する側板保持部２５ｂの側方へフランジ状に延設されている。取付部材本体２５１は、天板保持部２５ａと側板保持部２５ｂとの連設部で屈曲され、側板保持部２５ｂと取付部２５ｃとの連設部で屈曲されている。取付部２５ｃは、天板保持部２５ａから連設されていればよい。このため、側板保持部２５ｂを設けることなく、天板保持部２５ａを平面的に延長して取付部２５ｃを設けることもできるが、板金を屈曲成形することにより、取付部材本体２５１の強度を向上させることができる。本実施形態では、側板保持部２５ｂを設け、各部を屈曲することにより、取付部２５ｃを天板保持部２５ａに対して平面的に設けた場合と比較して取付部材本体２５ｂの強度が向上している。
【００２４】
取付部２５ｃは、シャーシ２０に設けられた支柱２１が備える切欠部２１ａを覆うように設けられる。すなわち、取付部２５ｃは、切欠部２１ａを塞ぐように設けられている。支柱２１は、上述のように、シャーシ２０の強度、本体部１０の強度を向上させる機能の一部を担っているが、切欠部２１ａを備えることにより、強度が低下すると考えられる。そこで、取付部２５ｃが、切欠部２１ａを覆うことにより、支柱２１を補強し、本体部１０の強度を向上させることができる。
【００２５】
取付部２５ｃは、本体部１０内に配設されるケーブルを通過させる跨状部２５ｄを備えている。跨状部２５ｄは、取付部２５ｃの一部を盛り上げるように成形することによって形成されている。ケーブルを通過させ易くするためには、取付部２５ｃを分断することも考えられるが、取付部を２５ｃを分断すると、それだけ強度が低下することとなる。そこで、跨状部２５ｄを設けることにより、ケーブル通過の要請と、強度確保の要請を両立している。跨状部２５ｄは、支柱２１に設けられた切欠部２１ａの位置に対応させて設けられている。切欠部２１ａと跨状部２５ｄとを組み合わせることにより、支柱２１側の切欠部２１ａの深さを抑えることができる。切欠部２１ａの深さを深くするとケーブルを通過させる通路面積を確保し易くなるが、その反面、支柱２１の強度が低下する。そこで、跨状部２５ｄと切欠部２１ａとを組み合わせることにより、必要な通路面積を確保することができる。なお、通過させるケーブルの仕様等により、さほど通路面積が必要でない場合には、跨状部２５ｄを盛り上げることなく、平滑な取付部２５ｃとすることもできる。
【００２６】
跨状部２５ｄには、ビード部２５ｄ１が設けられている。ビード部２５ｄ１は、帯状に盛り上げた部分であり、跨状部２５ｄ、ひいては取付部２５ｃの強度を向上させることができる。本実施形態では、ビード部２５ｄ１は、跨状部２５ｄにのみ設けているが、ビード部は、取付部２５ｃの他の部分に設けることもできる。
【００２７】
図９乃至図１０を参照すると、ヒンジ部２６は、固定部２６ａと揺動部２６ｂとをピン部材２６ｃを用いて結合することによって形成されている。固定部２６ａは、リベット穴２６ａ１を備え、リベットを用いて回転支柱４０の先端部に固定される部分である。揺動部２６ｂは、固定部２６ａに対してピン部材２６ｃを用いて取り付けられることにより固定部２６ａに対して揺動することができる。揺動部２６ｂは、リベット穴２６ｂ１を備え、リベット２７を用いて本体部１０側に取り付けられる。これにより、本体部１０の回転支柱４０に対するチルト動作が実現される。
【００２８】
図１１乃至図１２を参照すると、ヒンジ部２６の揺動部２６ｂは、取付部材本体２５１が備える天板保持部２５ａに取り付けられる。具体的に、リベット穴２６ｂ１と天板保持部２５ａに穿設されたリベット穴２５ａ２にリベット２７が挿通され、リベット止めされる。
【００２９】
つぎに、図１３乃至図１４を参照して、ＨＤＤ２４を取付部材２５に装着して両者を一体とした状態について説明する。図１３（Ａ）〜（Ｆ）はＨＤＤ２４を装着した取付部材２５の６面図である。図１３（Ａ）は正面図、図１３（Ｂ）は上面図、図１３（Ｃ）は底面図、図１３（Ｄ）は左側面図、図１３（Ｅ）は右側面図、図１３（Ｆ）は背面図である。図１４（Ａ）はＨＤＤ２４を装着した取付部材２５を正面側から観た斜視図であり、図１４（Ｂ）はＨＤＤ２４を装着した取付部材２５を背面側から観た斜視図である。
【００３０】
ＨＤＤ２４は、その天板部２４ｂを取付部材２５が備える天板保持部２５ａとが固定された状態とされる。具体的に、天板保持部２５ａに天板部２４ｂを接触させ、天板保持部２５ａに穿設されたネジ穴２５ａ１を通じてネジ２８を天板部２４ｂに螺合させることによって両者を固定した状態とする。このようにＨＤＤ２４と一体化された取付部材２５をシャーシ２０に設けられた支柱２１に固定することにより、本体部１０の骨組みとなる部分の強度を向上させることができる。
【００３１】
ここで、天板保持部２５ａでＨＤＤ２４を支持することにより、側板保持部２５ｂでＨＤＤ２４を支持する場合と比較して、本体部１０の薄型化と強度の確保が容易となる。側板保持部２５ｂでＨＤＤ２４を支持しようとする場合、側板保持部２５ｂはある程度の高さ（フロントカバー１０ａ〜リアカバー１０ｂ方向の距離）を有することが求められる。しかし、フランジ状に形成された取付部２５ｃの位置をそのままとした状態で側板保持部２５ｂの高さを確保しようとすると、取付部２５ｃを分断して側板保持部２５ｂをシャーシ２０に近づく側に延長しなければならない。取付部２５ｃが分断されると取付部材２５の強度が低下する。また、取付部２５ｃを分断することなく側板保持部２５ｂの高さを確保しようとすると、取付部２５ｃの位置をシャーシ２０に近い側に設けなければならない。支柱２１の高さ（厚み）をそのままとして取付部２５ｃの位置をシャーシ２０に近い側に設けると、側板保持部２５ｂと支柱２１の合計高さが嵩張り、本体部１０の薄型化の妨げとなる。また、側板保持部２５ｂの高さを高くした分、支柱２１の高さ（厚み）を低下させると、支柱２１が細くなり、強度が低下する。これらの事情を考慮すると、天板保持部２５ａでＨＤＤ２４を支持することが好ましい。
【００３２】
このようにＨＤＤ２４が固定された取付部材２５は、取付部２５ｃに穿設されたリベット穴２５ｃ１を用いて支柱２１にリベット止めされて固定される。これにより、ＨＤＤ２４、取付部材２５及び支柱２１を備えたシャーシ２０が一体となり、本体部１０の強度が向上する。一方、ヒンジ部２６の固定部２６ａは、回転支柱４０の先端部に取り付けられる。これにより、本体部１０の回転支柱４０に対するチルト動作が実現される。本実施形態の本体部１０は強度、剛性が高く、撓みにくいため、使用者のチルト動作のための力がヒンジ部２６へ伝達され易く、ヒンジ部２６によるスムーズなチルト動作を実現することができる。また、シャーシ２０と一体とされるヒンジ部２６は、単独でシャーシ２０の強度を向上させる機能を求められない。このため、ヒンジ部２６は必要最低限の強度を備えていれば良く、薄い板金を用いたり、肉抜きをしたりして軽量に製作することができる。
【００３３】
つぎに、図１５乃至図１７を参照して電子装置１が備えるシールド部材２９について説明する。図１５（Ａ）〜（Ｆ）は実施形態の電子装置１が備えるシールド部材２９の６面図である。図１５（Ａ）は正面図、図１５（Ｂ）は上面図、図１５（Ｃ）は底面図、図１５（Ｄ）は左側面図、図１５（Ｅ）は右側面図、図１５（Ｆ）は背面図である。図１６（Ａ）は実施形態の電子装置１が備えるシールド部材２９を背面側から観た斜視図であり、図１６（Ｂ）は実施形態の電子装置が備えるシールド部材２９を正面側から観た斜視図である。図１７（Ａ）はシールド部材２９を装着したリアカバー１０ｂを内側から観た斜視図であり、図１７（Ｂ）はシールド部材２９を装着したリアカバー１０ｂを内側から観た正面図である。
【００３４】
シールド部材２９は、支柱２１がシャーシ２０を分断することによって形成された複数の領域のうち、一部の領域のみを覆う寸法及び形状を有している。具体的に、シャーシ２０のマザーボード搭載部２０ａ１を覆う寸法及び形状を備えている。上述のようにシャーシ２０は、２本の支柱２１によって左側領域、中央領域、右側領域に区分けされている。そして、右側領域がマザーボード搭載部２０ａ１となっており、シールド部材２９は、このマザーボード搭載部２０ａ１を覆う。シールド部材２９は、正面側となる第１面２９ａをリアカバー１０ｂに対向させ、裏面側となる第２面２９ｂをマザーボード２３に対向させてリアカバー１０ｂに装着されている。シールド部材２９は、リアカバー１０ｂに溶着により装着されている。溶着を用いることにより、ネジ止め等の場合と比較してネジ等の締結具が不要となるので本体部１０を軽量とすることができる。また、溶着の採用は、組み立て作業コストの低減ともある。シールド部材２９は、シールド機能を発揮することができればよい。すなわち、シールド部材２９は、本体部１０の強度確保の機能を担っていない。このため、シールド部材２９は、強度確保の機能を有する場合と比較して薄い板金を用いることができ、本体部１０の薄型化及び軽量化に資する。また、取付部材２５等と重ねて配置することが不要となるため、この点でも本体部１０の薄型化に資する。このように、シールド部材２９は、最低限の部分を覆うようにその寸法を縮小し、板厚も薄くすることができる。
【００３５】
このように、本実施形態の電子装置では、必要な強度を確保した上で各部の材料の板厚を薄くしたり、寸法を縮小したりすることができるので、部品単価を低減することができる。なお、本実施形態では、各部の接合にリベットやネジ等の接合手段を用いているが、適切な接合が可能なものであれば、どのような接合手段を用いることもできる。
【００３６】
以上本発明の好ましい実施形態について詳述したが、本発明は係る特定の実施形態に限定されるものではなく、特許請求の範囲に記載された本発明の要旨の範囲内において、種々の変形、変更が可能である。
【００３７】
（付記）
（付記１）
支柱を備えたシャーシを内蔵した本体部と、
前記本体部を支持するスタンド部と、
底板部と、前記底板部の裏側に位置する天板部と、前記底板部と前記天板部とを接続する側板部を備え、前記底板部を前記シャーシに対向させて前記支柱に固定される記憶媒体と、
前記天板部と対向する天板保持部と、前記天板保持部に連設され、前記支柱に取り付けられる取付部と、前記スタンド部に対して前記本体部を揺動可能とするヒンジ部を備え、前記記憶媒体を保持して前記記憶媒体を前記支柱に固定する取付部材と、
を、備えた電子装置。
（付記２）
前記取付部は、前記天板保持部に連設され前記側板部の側方に位置する側板保持部の側方へ延設された付記１に記載の電子装置。
（付記３）
前記取付部は、ビード部を備えた付記１又は２に記載の電子装置。
（付記４）
前記取付部は、前記本体部内に配設されるケーブルを通過させる跨状部を備えた付記１乃至３のいずれか一項に記載の電子装置。
（付記５）
前記記憶媒体は、前記前記天板部と前記天板保持部とが固定されて前記取付部材と一体とされた付記１乃至４のいずれか一項に記載の電子装置。
（付記６）
前記支柱は切欠部を有し、前記取付部は前記切欠部を覆う付記１乃至５のいずれか一項に記載の電子装置。
（付記７）
前記支柱は、前記シャーシを複数の領域に分断し、前記本体部は、前記支柱が前記シャーシを分断することによって形成された前記複数の領域のうち、一部の領域のみを覆うシールド部材を備えた付記１乃至６のいずれか一項に記載の電子装置。
（付記８）
底板部と、前記底板部の裏側に位置する天板部と、前記底板部と前記天板部とを接続する側板部を備えた記憶媒体を、前記底板部を電子装置の本体部に内蔵されたシャーシに対向させて、前記シャーシが備える支柱に固定する取付部材であって、
前記天板部と対向する天板保持部と、前記天板保持部に連設され、前記支柱に取り付けられる取付部と、前記シャーシを支持するスタンド部に対して前記シャーシを揺動可能とするヒンジ部を備えた取付部材。
（付記９）
前記取付部は、前記天板保持部に連設され前記側板部の側方に位置する側板保持部の側方へ延設された付記８に記載の取付部材。
（付記１０）
前記取付部は、ビード部を備えた付記８又は９に記載の取付部材。
（付記１１）
前記取付部は、前記本体部内に配設されるケーブルを通過させる跨状部を備えた付記８乃至１０のいずれか一項に記載の取付部材。
【符号の説明】
【００３８】
１  電子機器              １０  本体部
３０  スタンド部          ４０  回転支柱
２０  シャーシ−            ２０ａ１  マザーボード搭載部
２１  支柱                ２１ａ  切欠部
２１ｂ  設置部            ２３  マザーボード
２４  ＨＤＤ（記憶媒体）  ２５  取付部材
２５１  取付部材本体      ２５ａ  天板保持部
２５ｂ  側板保持部        ２５ｃ  取付部
２５ｄ  跨状部            ２５ｄ１  ビード部
２６  ヒンジ部            ２６ａ  固定部
２６ｂ  揺動部            ２６ｃ  ピン部材
２９  シールド部材
【図１】
2014052893.tif 000003
【図２】
2014052893.tif 000004
【図３】
2014052893.tif 000005
【図４】
2014052893.tif 000006
【図５】
2014052893.tif 000007
【図６】
2014052893.tif 000008
【図７】
2014052893.tif 000009
【図８】
2014052893.tif 000010
【図９】
2014052893.tif 000011
【図１０】
2014052893.tif 000012
【図１１】
2014052893.tif 000013
【図１２】
2014052893.tif 000014
【図１３】
2014052893.tif 000015
【図１４】
2014052893.tif 000016
【図１５】
2014052893.tif 000017
【図１６】
2014052893.tif 000018
【図１７】
2014052893.tif 000019